(57)【要約】      （修正有）【課題】ガス容器の管理において管理者の負担を軽減することを可能とすると共に、高圧ガス保安法の知識のない者でも容易に高圧ガス保安法の対象となる容器か否かの判断ができ、敷地内の高圧ガス貯蔵量を明確化できるシステムを提供する。【解決手段】容器毎の容器情報を読み取る可搬式の読取装置と、読取装置によって読み取られた容器情報（容器の識別情報、ガス種、ガス充填量を含む情報）と、容器毎の建屋情報（容器が設置された建屋を表す情報）とを記憶する記憶部５１と、管理端末の要求に応じて、高圧ガス保安法によって定められた所定の条件に基づいて、容器管理に必要な管理情報を取得し、管理端末に送信する要求処理部５４と、を備える管理装置５と、管理画面を表示し、管理装置５から取得した管理情報を、建屋毎に分類して表示する管理端末と、を備える。【選択図】図５
2015222551.tif 000002
【特許請求の範囲】
【請求項１】
敷地内に貯蔵されたガス容器毎の情報であって、少なくとも、当該容器の識別情報、ガス種、ガス充填量を含む容器情報と、当該容器が設置された建屋を表す建屋情報とを用い、高圧ガス保安法によって定められた所定の条件に基づいて、前記容器情報から高圧ガス保安法の対象となる容器の容器情報を抽出し、前記ガス種とガス充填量とから、抽出された容器のガス貯蔵量を算出し、前記容器情報、前記建屋情報及び前記ガス貯蔵量を含む管理情報を利用者の端末に表示するシステムであって、
容器毎の容器情報を読み取る可搬式の読取装置と、
前記読取装置によって読み取られた容器情報と、前記容器毎の建屋情報とを記憶する記憶部と、
前記端末の要求に応じて、前記管理情報を取得し、前記端末に送信する要求処理部と、
を備える管理装置と、
管理画面を表示し、前記管理装置から取得した前記管理情報を前記建屋毎に分類して表示する端末と、
を備える高圧ガス容器管理システム。
【請求項２】
前記要求処理部は、前記容器を前記ガス種に基づいて、高圧ガス保安法で定められた第１種ガス、第２種ガスに分類し、前記ガス貯蔵量を前記第１種ガス、第２種ガスごとに算出する、
請求項１に記載の高圧ガス容器管理システム。
【請求項３】
前記記憶部は、前記条件に基づいて分類された前記設置場所のグループを表すグループ情報をさらに記憶し、
前記要求処理部は、第１種ガス及び第２種ガスの貯蔵量を、前記グループ毎に算出し、
前記端末は、前記グループ毎に算出された第１種ガス及び第２種ガスの貯蔵量が、高圧ガス保安法において届出を要する量か、または許可を要する量か、または届出及び許可を必要としない量か、に分類して前記貯蔵量を表示する、
請求項２に記載の高圧ガス容器管理システム。
【請求項４】
前記端末は、前記第１種ガス及び第２種ガスの貯蔵量が、届出を要する量になるまでの残量と、許可を要する量になるまでの残量と、を算出し、前記残量の少なくとも一方をさらに表示する、
請求項３に記載の高圧ガス容器管理システム。
【請求項５】
敷地内に貯蔵されたガス容器毎の情報であって、少なくとも、当該容器の識別情報、ガス種、ガス充填量を含む容器情報と、当該容器が設置された建屋を表す建屋情報とを用い、高圧ガス保安法によって定められた所定の条件に基づいて、前記容器情報から高圧ガス保安法の対象となる容器の容器情報を抽出し、前記ガス種とガス充填量とから、抽出された容器のガス貯蔵量を算出し、前記容器情報、前記建屋情報及び前記ガス貯蔵量を含む管理情報を利用者の端末に表示するシステムにおける管理装置であって、
容器毎の容器情報を読み取る可搬式の読取装置によって読み取られた容器情報と、前記容器毎の建屋情報とを記憶する記憶部と、
前記端末の要求に応じて、前記管理情報を取得し、前記端末に送信する要求処理部と、
を備える管理装置。
【発明の詳細な説明】
【技術分野】
【０００１】
本発明は、高圧ガスの容器を管理する技術に関する。
【背景技術】
【０００２】
高圧ガスを提供する事業者は、充填工場にて高圧ガスを容器に充填し、集配車によって各販売店に配送する。高圧ガスが充填された容器は、各販売店から利用者のもとに配送される。利用者のもとで使用済みとなった容器は、各販売店によって回収される。各販売店に回収された容器は、集配車によって充填工場に回収される。回収された容器は、充填工場にて再度高圧ガスが充填される。高圧ガスが充填された容器は、再度販売店に配送され利用者のもとに配送される。このように、高圧ガスが充填される容器（以下、「ガス容器」という。）は、充填工場、販売店及び利用者の間を循環している。
【０００３】
高圧ガスの利用者は、高圧ガス保安法などの関連法規に則り適切にガス容器を管理する必要がある。ガス容器は、不適切な取り扱いや経年劣化により破損すると、予期しない事故を引き起こす可能性があるためである。そのため、高圧ガスの利用者は、保有しているガス容器に充填されたガス種、充填量を把握し、ガス容器の定期的な検査や、公的機関への許可申請や届出などの対応を行う必要がある。上述した背景により、従来、高圧ガスの発注管理システムによるガス容器の納品及び返却の管理と連動してガス容器の入出庫を管理することが行われている。
【先行技術文献】
【特許文献】
【０００４】
【特許文献１】特開平０６−０９４１９２号公報
【発明の概要】
【発明が解決しようとする課題】
【０００５】
上述のように、高圧ガス保安法の管理対象となるガス容器を貯蔵するには、貯蔵するガス種、充填量に応じて、公的機関に届出、もしくは許可を得なければならない。しかしながら、一般のガス容器の使用者にとって、ガス容器の管理には次のような問題があり、管理者の負担が大きいのが実情である。
まず、高圧ガス保安法の対象となるガス容器か否かの判別が難しいといった場合がある。また、大学や公的機関の研究施設等において、各研究室で個別に発注し、個別に納品を受けているような場合には、建屋全体での貯蔵量が把握しづらいという問題があった。
【０００６】
本発明は、ガス容器の管理において上記のような管理者の負担を軽減することを可能とすると共に、高圧ガス保安法の知識のない者でも容易に高圧ガス保安法の対象となるガス容器か否かの判断ができ、管理対象の敷地内の高圧ガス貯蔵量を明確化できるシステムを提供することを目的とする。
【課題を解決するための手段】
【０００７】
本発明の一態様は、容器毎の容器情報を読み取る可搬式の読取装置と、読取装置によって読み取られた容器情報（容器の識別情報、ガス種、ガス充填量を含む情報）と、容器毎の建屋情報（容器が設置された建屋を表す情報）とを記憶する記憶部と、管理端末の要求に応じて、高圧ガス保安法によって定められた所定の条件に基づいて、容器管理に必要な管理情報を取得し、管理端末に送信する要求処理部と、を備える管理装置と、管理画面を表示し、管理装置から取得した管理情報を、建屋毎に分類して表示する管理端末と、を備える高圧ガス容器管理システム。
【発明の効果】
【０００８】
本発明により、ガス容器の管理における管理者の負担が軽減されると共に、敷地内の高圧ガス貯蔵量を明確化できる。
【図面の簡単な説明】
【０００９】
【図１】実施形態のガス容器管理システム１のシステム構成を示すシステム構成図。
【図２】容器情報２１の具体例を示す図。
【図３】容器情報２１−１〜２１−７が示す内容を説明する図。
【図４】バーコードで表された容器情報２１の具体例を示す図。
【図５】管理装置５の機能構成を示す機能ブロック図。
【図６】容器テーブル５１１の具体例を示す図。
【図７】設置テーブル５１２の具体例を示す図。
【図８】建屋テーブル５１３の具体例を示す図。
【図９】ガス情報テーブル５１４の具体例を示す図。
【図１０】管理端末４が表示する管理画面の具体例を示す図。
【図１１】管理装置５が管理画面の表示に必要な情報を取得する処理の流れを示すフローチャート。
【図１２】建屋データ取得処理の流れを示すフローチャート。
【図１３】建屋データ６の具体例を示す図。
【図１４】総量データ取得処理の流れを示すフローチャート。
【図１５】総量データ７の具体例を示す図。
【図１６】管理端末４が表示する管理画面の具体例を示す図。
【発明を実施するための形態】
【００１０】
［実施形態］
図１は、実施形態のガス容器管理システム１のシステム構成を示すシステム構成図である。
ガス容器２は、高圧ガスが充填されたガス容器である。ガス容器２の表面には容器情報２１が打刻されている。容器情報２１は、例えば、個体を識別するための情報や、充填されているガスの種別を表す情報や、ガス容器２の製造者を識別するための情報などである。
【００１１】
読取装置３は、ガス容器２の容器情報２１を読み取る装置である。読取装置３は、例えば、ＲＦＩＤ（Radio Frequency Identification）リーダやバーコードリーダなどの可搬式の情報読み取り装置である。読取装置３は、管理装置５との間で通信し、読み取られた容器情報２１を管理装置５に送信する。
【００１２】
管理端末４は、ガス容器管理システム１の利用者が操作する端末である。管理端末４は、例えば、ＰＣ（Personal Computer）やスマートフォンやタブレットなどの情報機器である。管理端末４は、管理装置５との間で通信する。管理端末４は、表示部４１を備える。表示部４１は、ＣＲＴ（Cathode-Ray Tube）ディスプレイや液晶モニタ等のディスプレイ装置である。管理端末４は、管理端末プログラムの実行により、ガス容器２を管理するための管理画面を表示する。管理画面とは、利用者が、貯蔵されているガス容器２の情報を参照することができる画面である。ガス容器２の情報は、例えば、ガス容器２が設置されている場所や、設置されているガス容器２の数、ガス容器２に充填されているガスの種別などの情報である。また、管理画面には、ガス容器２の追加の登録や、返却されたガス容器２の登録の削除などの更新操作を行うためのメニューが表示されてもよい。管理端末４は、管理画面の表示に必要な情報を管理装置５から取得する。管理端末４は、取得された情報に基づいて管理画面を生成し、表示部４１に表示する。
【００１３】
管理装置５は、読取装置３によって読み取られた容器情報２１や、ガス容器２の設置場所、設置されたガス容器２の数などのガス容器の管理に必要な情報を保持する。管理装置５は、管理端末４の要求に応じて自装置が保持する情報から必要な情報を取得し、管理端末４に送信する。管理装置５の詳細は後述する。
【００１４】
図２は、容器情報２１の具体例を示す図である。
ガス容器２の表面に打刻されている容器情報２１は、図２の例のように記号や文字で表される。容器情報２１は、容器情報２１−１〜２１−７を含む。容器情報２１−１〜２１−７の各情報が示す内容を、次の図３に示す。
【００１５】
図３は、容器情報２１−１〜２１−７が示す内容を説明する図である。
図３において、項目番号の欄に記載されている符号は、図２の容器情報２１−１〜２１−７の符号に対応している。容器情報の欄に記載されている内容は、項目番号に対応する容器情報の種別を表している。様式の欄に記載されている内容は、対応する容器情報の表記の様式を表している。
ガス容器２に充填された高圧ガスの充填量は、例えば、容器情報２１−４（内容積）と容器情報２１−７（最高充填圧力）を用いて、次の式１によって表すことができる。
【数１】
2015222551.tif 000003
【００１６】
式１において、Ｑはガス容器２の貯蔵能力である充填量を表す。Ｐは３５℃における高圧ガスの最高充填圧力（容器情報２１−７）を表す。Ｖはガス容器２の内容積（容器情報２１−４）を表す。式１を用いた充填量Ｑの算出の具体例を次の式２に示す。
【数２】
2015222551.tif 000004
【００１７】
式２は、例えば、内容積が４７Ｌのガス容器２に、温度３５℃における最高充填圧力が１４．９ＭＰａである高圧ガスが充填されている場合における、ガス容器２の充填量Ｑを算出する式である。この場合、充填量Ｑの値には約７．０［ｍ３]が算出される。
【００１８】
これらの容器情報２１が記号や文字で打刻される位置や大きさなどの表示形式は、ガス容器２の製造業者によって異なる場合もある。そのため、利用者がこれらの記号や文字を電子情報として取り込むには手間がかかる。
実施形態のガス容器管理システム１では、容器情報２１などのガス容器の管理に必要な情報は、ＲＦＩＤタグやバーコードシートなどの読取装置３が読み取り可能な記録媒体に保持される。そして、これらの記録媒体は、ガス容器２に備え付けられる。
以下の説明では、容器情報２１は、これらの記録媒体に保持される情報を指すものとする。
【００１９】
図４は、バーコードで表された容器情報２１の具体例を示す図である。
バーコード２１１は、ガス容器２が設置される場所を表すバーコードである。バーコード２１２は、設置されるガス容器２の管理者を表すバーコードである。バーコード２１３は、ガス容器２に充填されている高圧ガスの充填量を表すバーコードである。バーコード２１４は、高圧ガスの充填量の単位を表すバーコードである。バーコード２１５は、ガス容器２の製造業者を表すバーコードである。
【００２０】
図５は、管理装置５の機能構成を示す機能ブロック図である。
管理装置５は、バスで接続されたＣＰＵ（Central Processing Unit）やメモリや補助記憶装置などを備え、管理装置プログラムを実行する。管理装置５は、管理装置プログラムの実行によって、記憶部５１、個体情報入力部５２、通信部５３及び要求処理部５４を備える装置として機能する。
なお、管理装置５の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。管理装置プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。管理装置プログラムは、電気通信回線を介して送信されてもよい。
【００２１】
記憶部５１は、磁気ハードディスク装置や半導体記憶装置などの記憶装置を用いて構成される。記憶部５１は、容器テーブル５１１、設置テーブル５１２、建屋テーブル５１３及びガス情報テーブル５１４を予め記憶している。
【００２２】
図６は、容器テーブル５１１の具体例を示す図である。
容器テーブル５１１は、ガス容器２の個体情報を保持するテーブルである。容器テーブル５１１は、容器ＩＤごとに容器レコードを有する。容器レコードは、容器ＩＤ、ガス種別、充填量及び充填単位の各値を有する。容器ＩＤは、ガス容器２の個体を識別する情報である。具体的には、容器ＩＤは、容器情報２１−１（容器製造業者の識別情報）と、容器情報２１−２（容器の識別情報）とに基づいて生成される識別情報である。容器ＩＤが容器情報２１−１（容器製造業者の識別情報）と、容器情報２１−２（容器の識別情報）とに基づいて生成されることによって、より確実な個体識別が可能となる。ガス種別は、ガス容器２に充填される高圧ガスの種別を表す。充填量は、ガス容器２に充填される高圧ガスの量を表す。充填単位は、充填量の値の単位を表す。容器情報レコードは、管理装置５によって登録される。
【００２３】
図７は、設置テーブル５１２の具体例を示す図である。
設置テーブル５１２は、ガス容器２の設置場所に関する情報を保持するテーブルである。設置テーブル５１２は、容器ＩＤごとに設置レコードを有する。設置レコードは、容器ＩＤ、建屋ＩＤ、設置階、設置場所、設置日及び管理者の各値を有する。容器ＩＤは、ガス容器２の個体を識別する情報である。容器ＩＤは、容器レコードが有する容器ＩＤに対応する。建屋ＩＤは、容器ＩＤの値が示すガス容器２が設置されている建屋を識別する情報である。建屋ＩＤは、建屋テーブル５１３の建屋ＩＤに対応する。設置階は、建屋ＩＤが示す建屋において、ガス容器２が設置された階を表す。設置場所は、建屋ＩＤが示す建物の、設置階が示す階において、ガス容器２が設置された場所を表す。設置日は、ガス容器２が設置された日付を表す。管理者は、ガス容器２の管理者を表す。設置レコードは、管理装置５によって登録される。
【００２４】
図８は、建屋テーブル５１３の具体例を示す図である。
建屋テーブル５１３は、建屋と建屋が属する建屋グループとの対応を保持するテーブルである。建屋グループとは、高圧ガスの総貯蔵量の算出において、同一建屋とみなされる建屋の集合を表す情報である。高圧ガスの総貯蔵量は建屋ごとに算出されるが、端部間の距離が３０ｍ以内である建屋は同一の建屋であるとして算出される。これは、高圧ガスの関連法規によって規定されているものである。
【００２５】
建屋テーブル５１３は、建屋ＩＤごとの建屋レコードを有する。建屋レコードは、建屋ＩＤ及びグループＩＤの各値を有する。建屋ＩＤは、ガス容器２が設置される建屋を識別する情報である。グループＩＤは、建屋ＩＤが示す建屋が属する建屋グループを識別する情報である。建屋レコードは、ガス容器管理システム１の管理者によって予め登録される。
【００２６】
図９は、ガス情報テーブル５１４の具体例を示す図である。
ガス情報テーブル５１４は、ガス容器２に充填されている高圧ガスの情報を保持するテーブルである。ガス情報テーブル５１４は、ガス種別ごとにガス情報レコードを有する。ガス情報レコードは、ガス種別、ガス区分、属性情報及び物性情報の各値を有する。ガス種別は、ガス容器２に充填されている高圧ガスの種類を表す情報である。ガス区分は、高圧ガスの関連法規によって規定されている高圧ガスの分類を表す情報である。高圧ガスの利用者は、ガス区分ごとの総貯蔵量に応じて、行政庁への届出や貯蔵許可の申請を行う必要がある。属性情報は、ガス容器２に充填されている高圧ガスの性質の概要を表す情報である。属性情報は、例えば、毒性の有無や、可燃性を有するか否か、などの情報である。物性情報は、ガス容器２に充填されている高圧ガスの詳細な性質や、関連事項などの情報である。ガス情報レコードは、ガス容器管理システム１の管理者によって予め登録される。
【００２７】
図５の説明に戻る。
個体情報入力部５２は、ＬＡＮやシリアルインターフェース等の通信インターフェースを備えて構成される。個体情報入力部５２は、読取装置３との間で通信する。個体情報入力部５２は、読取装置３から容器情報２１を取得する。個体情報入力部５２は、取得された容器情報２１を、容器テーブル５１１及び設置テーブル５１２に登録する。
【００２８】
通信部５３は、ＬＡＮ等の通信インターフェースを用いて構成される。通信部５３は管理端末４との間で通信する。通信部５３は、管理端末４の情報取得の要求を要求処理部５４に出力する。通信部５３は、要求処理部５４から出力された情報を管理端末４に送信する。
【００２９】
要求処理部５４は、管理端末４の情報取得の要求を受け付ける。要求処理部５４は、情報取得の要求に応じて、記憶部５１が記憶する各テーブルから情報を取得し、管理端末４に送信する。
【００３０】
図１０は、管理端末４が表示する管理画面の具体例を示す図である。
図１０の例では、管理画面には、建屋グループごとのグループ情報が表示される。グループ情報とは、建屋グループごとの高圧ガスの使用状況を表す情報である。高圧ガスの使用状況とは、建屋に設置されているガス容器２の数量や、充填されているガスの種別、設置されている場所などの情報である。図１０の例では、グループ情報４１１及びグループ情報４１２の２つのグループが表示されている。グループ情報の表示の形式は、図１０と異なる態様であってもよい。例えば、管理画面には単一のグループ情報が表示され、複数のグループ情報を切り替えて表示させてもよい。
【００３１】
グループ情報には、建屋情報と総量情報とが含まれる。建屋情報とは、建屋ごとの高圧ガスの使用状況を表す情報である。総量情報とは、建屋グループに属する建屋に設置されているガス容器２の総貯蔵量を表す情報である。
グループ情報４１１には、建屋情報４１３と総量情報４１４とが含まれる。建屋情報４１３は、建屋グループに属する建屋における高圧ガスの使用状況を表す情報である。総量情報４１４は、建屋グループに属する建屋に貯蔵されている高圧ガスについて、ガス区分ごとに算出された高圧ガスの総貯蔵量を表す情報である。図１０の例では省略されているが、グループ情報４１２についてもグループ情報４１１と同様の情報が含まれる。
【００３２】
図１１は、管理装置５が管理画面の表示に必要な情報を取得する処理の流れを示すフローチャートである。
まず、管理端末４は、管理端末プログラム実行の入力を受け付ける。管理端末４は、管理画面の表示に必要な情報の取得を管理装置５に要求する。
管理装置５の要求処理部５４は、管理端末４の要求を受け付ける（ステップＳ１０１）。要求処理部５４は、建屋テーブル５１３を参照し、最も小さいグループＩＤの値を有する建屋レコードを選択する。要求処理部５４は、選択された建屋レコードからグループＩＤの値を取得する（ステップＳ１０２）。要求処理部５４は、建屋データ取得処理を実行し（ステップＳ１０３）、取得されたグループＩＤが示す建屋グループの建屋情報を表示するための建屋データを取得する。要求処理部５４は、総量データ取得処理を実行し（ステップＳ１０４）、取得されたグループＩＤが示す建屋グループの総量情報を表示するための総量データを取得する。
【００３３】
次に、要求処理部５４は、全てのグループＩＤについて処理を行ったか否かを判定する（ステップＳ１０５）。処理を行っていないグループＩＤがある場合（ステップＳ１０５−ＮＯ）、要求処理部５４は、ステップＳ１０２で取得されたグループＩＤの値の次に小さいグループＩＤを取得する（ステップＳ１０６）。要求処理部５４は、ステップＳ１０３に戻り、建屋データ及び総量データの取得を繰り返す。
【００３４】
一方、ステップＳ１０５において、全てのグループＩＤについて処理を行っている場合（ステップＳ１０５−ＹＥＳ）、要求処理部５４は、取得された全てのグループＩＤの建屋データ及び総量データを管理端末４に送信する（ステップＳ１０７）。
管理端末４は、受信された建屋データ及び総量データを、管理画面に表示する（ステップＳ１０８）。
【００３５】
図１２は、建屋データ取得処理の流れを示すフローチャートである。
建屋データ取得処理には、ステップＳ１０２において取得されたグループＩＤの値が入力される。要求処理部５４は、グループＩＤの値を取得する（ステップＳ２０１）。要求処理部５４は、建屋テーブル５１３を参照し、取得されたグループＩＤの値を持つ建屋レコードを選択する。要求処理部５４は、選択された建屋レコードから、建屋ＩＤの値を取得する（ステップＳ２０２）。
【００３６】
次に、要求処理部５４は、容器ＩＤ及びガス種別の値をキーとして、容器テーブル５１１と設置テーブル５１２とガス情報テーブル５１４とを結合する（ステップＳ２０３）。要求処理部５４は、結合されたテーブルから、取得された建屋ＩＤの値を持つレコードを選択する（ステップＳ２０４）。要求処理部５４は、建屋ＩＤ、設置階、設置場所及びガス種別の値をキーとして、選択されたレコードの集計及び集約を行い、建屋データ６を生成する（ステップＳ２０５）。要求処理部５４は、生成された建屋データ６を出力する（ステップＳ２０６）。
【００３７】
図１３は、建屋データ６の具体例を示す図である。
図１３は、建屋データ取得処理に入力されたグループＩＤの値が“１”であり、容器テーブル５１１、設置テーブル５１２及びガス情報テーブル５１４が、それぞれ図６、図８及び図９の例に示された情報を保持する場合に生成される建屋データ６の具体例を示している。
建屋データ６に含まれる“数量”の情報は、建屋データ取得処理のステップＳ２０５において集計されたレコード数である。すなわち、“数量”が示す値は、同一の設置場所に設置された同一種別のガス容器２の数を表している。
【００３８】
図１４は、総量データ取得処理の流れを示すフローチャートである。
総量データ取得処理には、ステップＳ１０２において取得されたグループＩＤの値が入力される。要求処理部５４は、グループＩＤの値を取得する（ステップＳ３０１）。要求処理部５４は、容器ＩＤ、建屋ＩＤ及びガス種別の値をキーとして、容器テーブル５１１と設置テーブル５１２と建屋テーブル５１３とガス情報テーブル５１４とを結合する（ステップＳ３０２）。要求処理部５４は、結合されたテーブルから、取得されたグループＩＤの値を持つレコードを選択する（ステップＳ３０３）。要求処理部５４は、ガス区分をキーとして、選択されたレコードの集計を行う。要求処理部５４は、ガス区分の値ごとに充填量の値の総和を算出し、総量データ７を生成する（ステップＳ３０４）。要求処理部５４は、生成された総量データ７を出力する（ステップＳ３０５）。
【００３９】
図１５は、総量データ７の具体例を示す図である。
図１５は、総量データ取得処理に入力されたグループＩＤの値が“１”であり、容器テーブル５１１、設置テーブル５１２、建屋テーブル５１３及びガス情報テーブル５１４が、それぞれ図６、図７、図８及び図９の例に示された情報を保持する場合に生成される総量データ７の具体例を示している。
総量データ７に含まれる“総量”の値は、総量データ取得処理ステップＳ３０４においてガス区分の値ごとに算出された充填量の値の総和である。すなわち、“総量”が示す値は、グループＩＤ“１”に所属する建屋に設置されている全てのガス容器２の充填量を、ガス区分ごとに集計した総貯蔵量を表している。
【００４０】
図１６は、管理端末４が表示する管理画面の具体例を示す図である。
図１６は、図１３の例の建屋データ６及び図１５の例の総量データ７が管理画面に表示された様子を表している。建屋データ６に含まれる情報は、建屋情報４１３として表示されている。総量データ７に含まれるは、総量情報４１４として表示されている。
【００４１】
このように構成された、実施形態のガス容器管理システム１では、建屋グループごとの高圧ガスの使用状況を表す管理画面が表示される。管理画面には、建屋グループごとの総量情報と、建屋グループに属する建屋ごとの建屋情報とが表示される。この管理画面の表示により、ガス容器管理システム１の管理者は、管理対象の建屋におけるガス容器２の使用状況と、建屋グループにおけるガス容器２の総貯蔵量とを容易に把握することが可能となる。そのため、ガス容器管理システム１の管理者のガス容器２の管理の負担が軽減される。
【００４２】
また、実施形態のガス容器管理システム１は、ガス容器２に打刻されている情報に基づいてガス容器２を管理する。また、ガス容器管理システム１では、これらの情報はＲＦＩＤタグやバーコードシートに記録され、ガス容器２に備え付けられる。そのため、ガス容器管理システム１は、発注管理システムに依存することなく、ガス容器２を管理することが可能となる。このような管理を行うことにより、例えば、管理者の管理が及ばないところで取り扱われているガス容器２が発見された場合にも、管理者は、発見されたガス容器２の情報を容易にガス容器管理システム１に取り込むことが可能となる。
【００４３】
また、実施形態のガス容器管理システム１では、ＲＦＩＤリーダやバーコードリーダなどの可搬式の情報読み取り装置を用いて容器情報２１を取得する。そのため、例えば、管理対象のガス容器２の現物を定期的に確認する際に、機械的な照合を行うことが可能となり、ガス容器２の管理をより正確かつ容易に実施することが可能となる。
【００４４】
＜変形例＞
記憶部５１の容器テーブル５１１、設置テーブル５１２、建屋テーブル５１３及びガス情報テーブル５１４が保持する情報は、実施形態と異なるテーブル構成によって保持されてもよい。また、これらのテーブルに保持される情報は、実施形態において示された情報以外の情報を保持してもよい。
管理端末４に表示される管理画面には、図１０に例示された情報以外に、容器情報２１の登録や、修正、削除などを行うメニューが設けられてもよい。
管理端末４に表示される管理画面には、使用状況に応じて、対象のガス容器２の管理者に通報を行うメニューが設けられてもよい。
管理端末４に表示される管理画面は、ガス容器２の発注管理システムに対する操作を行うメニューが設けられてもよい。このメニューによって、例えば、利用者は、使用状況に応じてガス容器２の発注を制限することが可能となる。
管理端末４に表示される管理画面は、表示された情報の詳細を表示する画面を表示するためのメニューが表示されてもよい。
管理端末４は、建屋グループ毎に算出されたガス区分ごとの貯蔵量が、高圧ガス保安法において届出を要する量か、または許可を要する量か、または届出及び許可を必要としない量か、に分類して各ガス区分の情報を表示してもよい。また、管理端末４は、ガス区分ごとの貯蔵量が、届出を要する量になるまでの残量と、許可を要する量になるまでの残量と、を算出し、これらの残量を含めて各ガス区分の情報を表示してもよい。
【００４５】
上述した実施形態における管理装置５をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４６】
以上、この発明の実施形態について図面を参照して詳述してきたが、具体的な構成はこの実施形態に限られるものではなく、この発明の要旨を逸脱しない範囲の設計等も含まれる。
【符号の説明】
【００４７】
１…ガス容器管理システム，  ２…ガス容器，  ２１、２１−１〜２１−７…容器情報，  ２１１〜２１５…バーコード，  ３…読取装置，  ４…管理端末，  ４１…表示部，  ５…管理装置，  ５１…記憶部，  ５１１…容器テーブル，  ５１２…設置テーブル，  ５１３…建屋テーブル，  ５１４…ガス情報テーブル，  ５２…個体情報入力部，  ５３…通信部，  ５４…要求処理部，  ４１１、４１２…グループ情報，  ４１３…建屋情報，  ４１４…総量情報
【図１】
2015222551.tif 000005
【図２】
2015222551.tif 000006
【図３】
2015222551.tif 000007
【図４】
2015222551.tif 000008
【図５】
2015222551.tif 000009
【図６】
2015222551.tif 000010
【図７】
2015222551.tif 000011
【図８】
2015222551.tif 000012
【図９】
2015222551.tif 000013
【図１０】
2015222551.tif 000014
【図１１】
2015222551.tif 000015
【図１２】
2015222551.tif 000016
【図１３】
2015222551.tif 000017
【図１４】
2015222551.tif 000018
【図１５】
2015222551.tif 000019
【図１６】
2015222551.tif 000020